(57)【要約】【課題】  タワークレーンを使用する建設工事において、タワークレーンのクライミング作業の間に工事に支障が生じることのないタワークレーンの支持構造を提供する。【解決手段】  受け架台５は、下端部に比べて上端部の幅が広い鋼板５ａの下方部に、Ｈ形鋼からなる張出し部５ｂを当接して溶接したものであり、鋼板５ａの上部には水平方向に所定の間隔をおいて複数の孔が形成されている。ＰＣ柱４の頭部側面からは、ネジ鉄筋からなるネジ状鋼棒７が側方に突出しており、当該ネジ状鋼棒７を鋼板５ａの上部に形成された孔に挿通してＰＣ柱４の頭部側面に受け架台５をナット８で固定する。並設されたプレキャストコンクリート柱４、４の対向する頭部側面に受け架台５をそれぞれ装着し、受け架台５の張出し部５ｂ上に受け梁６を載置する。【選択図】      図２
2006248675.tif 000002
【特許請求の範囲】
【請求項１】
タワークレーンをクライミングする際に、旋回体を仮置きする受け梁の支持構造であって、
構築している建物の一部を構成する並設されたプレキャストコンクリート柱の対向する側面にそれぞれ埋設されたネジ状鋼棒を介して、前記受け梁を支持する受け架台が、並設された前記プレキャストコンクリート柱の対向する側面にそれぞれ装着され、前記受け梁は前記受け架台間に架設されていることを特徴とするタワークレーンの支持構造。
【請求項２】
前記ネジ状鋼棒は、前記プレキャストコンクリート柱間に架設される梁の主筋であることを特徴とする請求項１に記載のタワークレーンの支持構造。
【発明の詳細な説明】
【技術分野】
【０００１】
本発明は、（超）高層建物の構築に使用するタワークレーンの支持構造に関し、特に、タワークレーンをクライミングする際に、旋回体を仮置きする受け梁の支持構造に関する。
【背景技術】
【０００２】
（超）高層建物の建設工事では、建設資材の揚重作業にタワークレーンが使用される。このタワークレーンは、建物の上層階が出来上がっていくにつれて上層にクライミングさせていく必要があり、マストクライミング方式とフロアクライミング方式の二通りの方法がある。
マストクライミング方式は、建物の上層階が出来上がっていくにつれて、タワークレーンのマストを継ぎ足していくものであり、最終的に建物の高さ以上のマストが必要となる 。これに対して、 フロアクライミング方式では、工事段階における最上階の梁に受け梁を仮設し、この受け梁にタワークレーンの本体である旋回体を仮置きすることにより、マストおよびマストの下端に取り付けられているベース架台を所定階まで引き上げる。そして、所定階に設置された架台受け梁上にベース架台を設置した後、ベース架台に支持されたマストに沿って旋回体を上昇させる。即ち、 フロアクライミング方式では、尺取虫のように旋回体とベース架台を交互に上昇させていくのである。
【０００３】
しかし、 フロアークライミング工法では、工事段階における 最上階の梁に旋回体をあずけてマストを引き上げるため、鉄骨鉄筋コンクリート造建物 の場合は、 旋回体を支持するだけの強度を構築完了直後の最上階でも得られるが、鉄筋コンクリート造建物 の場合は、最上階の打設コンクリートの強度が発現するまでに期間を要するため、その間、タワークレーンの引き上げが行えなくなり、施工に支障を来たすことになる 。
そこで、特許文献１では、 構築しようとする建物の躯体の最上階のプレキャストコンクリート柱の柱頭に旋回体受け架台を固定し、クライミング時に旋回体を旋回体受け架台にあずけ、この状態でマストをクライミングし、その後、マストに沿 って旋回体をクライミングする発明が開示されている。
【特許文献１】特開２００４−２５０１４４号公報  （第３−４頁、第６−８図）
【発明の開示】
【発明が解決しようとする課題】
【０００４】
しかしながら、特許文献１に記載された発明の場合、 プレキャストコンクリート柱の柱頭上に束を固定し、その上に 旋回体受け架台を設置するため、その間、束が固定されている プレキャストコンクリート柱については上階の プレキャストコンクリート柱が設置できないという問題がある。
【０００５】
本発明は、上述する問題点に鑑みてなされたもので、タワークレーンを使用する建設工事において、タワークレーンのクライミング作業の間に工事に支障が生じることのないタワークレーンの支持構造を提供することを目的とする。
【課題を解決するための手段】
【０００６】
上記目的を達成するため、本発明は、タワークレーンをクライミングする際に、旋回体を仮置きする受け梁の支持構造であって、構築している建物の一部を構成する並設されたプレキャストコンクリート柱の対向する側面にそれぞれ埋設されたネジ状鋼棒を介して、前記受け梁を支持する受け架台が、並設された前記プレキャストコンクリート柱の対向する側面にそれぞれ装着され、前記受け梁は前記受け架台間に架設されていることを特徴とする。
ここで、ネジ状鋼棒とは、少なくとも一端にネジ部が形成された鋼棒のことであり、ネジ鉄筋やボルトなどの総称である。
本発明では、並設されたプレキャストコンクリート柱の対向する側面にそれぞれ受け架台を装着し、当該受け架台間に受け梁を架設する構成としているので、タワークレーンをクライミングしている間も上階のプレキャストコンクリート柱の設置が可能となる。
【０００７】
また、本発明では、前記ネジ状鋼棒は、前記プレキャストコンクリート柱間に架設される梁の主筋であってもよい。
本発明では、ネジ状鋼棒をプレキャストコンクリート柱間に架設される梁の主筋として利用することにより、施工の合理化を図ることができる。
【発明の効果】
【０００８】
本発明では、並設されたプレキャストコンクリート柱の対向する側面にそれぞれ受け架台を装着し、当該受け架台間に受け梁を架設する構成としているので、タワークレーンのクライミングの際に工事に支障を来たすことがなく、施工性の向上と工期および工費の縮減を図ることができる。
【発明を実施するための最良の形態】
【０００９】
以下、本発明に係るタワークレーンの支持構造の実施形態について図面に基づいて説明する。
図１は、プレキャストコンクリート柱の側面に装着された受け架台に支持された受け梁に旋回体が仮置きされている状態を示したものであり、（超）高層の鉄筋コンクリート造建物を フロアクライミング式のタワークレーンを用いて建設することを想定している。
タワークレーン１は、立設するマスト３と、当該マスト３に沿って上下方向に移動し、水平面内に旋回する旋回体２とから概略構成されており、タワークレーン１をクライミングさせる場合は以下の手順によって行う。
（１）構築している建物の一部を構成する並設されたプレキャストコンクリート柱（以下ではＰＣ柱と称する。）４、４の対向する頭部側面にそれぞれ受け架台５を装着する。
（２）受け架台５、５間に受け梁６を載置し、旋回体２を受け梁６に仮置きする。
（３）マスト３およびマスト３の下端に取り付けられているベース架台（図示省略）を所定階まで引き上げ、所定階にベース架台を据付ける。
（４）ベース架台に支持されたマスト３に沿って旋回体２を上昇させ、受け梁６および受け架台５を撤去する。
【００１０】
図２は、本発明に係るタワークレーンの支持構造の詳細を示したものである。
受け架台５は、下端部に比べて上端部の幅が広い鋼板５ａの下方部に、Ｈ形鋼からなる張出し部５ｂを当接して溶接したものであり、鋼板５ａの上部には水平方向に所定の間隔をおいて複数の孔（図示省略）が形成されている。また、鋼板５ａの幅方向中央部には、張出し部５ｂを補強するために、フランジ付きの縦リブ５ｃが溶接されている。
【００１１】
ＰＣ柱４の頭部側面からは、梁主筋（図示省略）を接合するために、ネジ鉄筋やボルトなどからなるネジ状鋼棒７が側方に突出しており、当該ネジ状鋼棒７を鋼板５ａの上部に形成された孔に挿通してＰＣ柱４の頭部側面に受け架台５をナット８で固定することができる。
並設されたプレキャストコンクリート柱４、４の対向する頭部側面に受け架台５をそれぞれ装着し、受け架台５の張出し部５ｂ上に受け梁６を載置する。
ここで、ネジ状鋼棒７は、プレキャストコンクリート柱４、４間に架設される梁の主筋として利用してもよいし、受け架台５を装着するためだけに使用してもよい。また、ネジ状鋼棒７は、他方の端部をプレキャストコンクリート柱４内に定着させてもよいが、プレキャストコンクリート柱４を水平方向に貫通させて、プレキャストコンクリート柱４の両側面からそれぞれ側方にネジ状鋼棒７を突出させてもよい。
【００１２】
なお、タワークレーン１のクライミングの間、ＰＣ柱には偏心軸力が作用することになるが、許容応力内に充分納まるものである。
【００１３】
図３は、本発明に係るタワークレーンの支持構造の他の実施形態を示したものである。
受け架台１５は、矩形状の鋼板１５ａに所定の間隔をおいて複数の孔（図示省略）が形成されたものであり、各孔にネジ状鋼棒７を挿通してＰＣ柱４の頭部側面に受け架台１５をナット８で固定する。また、鋼板１５ａの一方の面には、各孔をそれぞれ取り囲むように格子状のリブ１５ｂが溶接されており、受け梁６は格子状のリブ１５ｂの外側面上に載置する。
【００１４】
本実施形態によるタワークレーンの支持構造では、並設されたＰＣ柱４、４の対向する側面にそれぞれ受け架台５（１５）を装着し、当該受け架台５、５（１５、１５）間に受け梁６を架設する構成としているので、タワークレーン１をクライミングしている間も上階のＰＣ柱４の設置が可能となる。その結果、施工性が向上し、工期および工費の縮減を図ることができる。
【００１５】
以上、本発明に係るタワークレーンの支持構造の実施形態について説明したが、本発明は上記の実施形態に限定されるものではなく、その趣旨を逸脱しない範囲で適宜変更可能である。例えば、受け架台の形状は上記形状に限定されるものではなく、ハンチ型など他の形状であってもよい。要は、受け梁を受け架台を介してＰＣ柱の側面部で支持できればよいのである。
【図面の簡単な説明】
【００１６】
【図１】プレキャストコンクリート柱の側面に装着された受け架台に支持された受け梁に旋回体が仮置きされている状態を示す概略図である。
【図２】本発明に係るタワークレーンの支持構造の第一の実施形態を示し、（ａ）は側面図、（ｂ）はＡ−Ａ矢視断面図である。
【図３】本発明に係るタワークレーンの支持構造の第二の実施形態を示し、（ａ）は正面図、（ｂ）はＢ−Ｂ矢視断面図である。
【符号の説明】
【００１７】
１  タワークレーン
２  旋回体
３  マスト
４  プレキャストコンクリート柱（ＰＣ柱）
５、１５  受け架台
５ａ、１５ａ  鋼板
５ｂ  張出し部
５ｃ  縦リブ
１５ｂ  格子状のリブ
６  受け梁
７  ネジ状鋼棒
８  ナット
【図１】
2006248675.tif 000003
【図２】
2006248675.tif 000004
【図３】
2006248675.tif 000005